(57)【要約】      （修正有）【課題】カラオケ歌唱と共に楽器演奏をも行えるカラオケ装置に関し、カラオケ楽曲の再生中に楽器演奏の評価をリファレンスデータを用いずに視聴者感覚で行って娯楽性を高め、利用者の満足度を向上させる。【解決手段】楽曲再生中に、判定手段２８が歌唱者及び演奏者以外の利用者である視聴者の盛上がり度を、例えば撮像部１９で視聴者側を撮像した撮像データ中の各視聴者の動作要素に基づいて判定するもので、楽曲再生中の所定区間において、カラオケ演奏者からの楽音信号の入力が検出手段２９で検出され、かつ、判定手段２８により視聴者の盛上がり度が所定値以上であると判定された場合に、延長手段３２により当該所定区間を繰り返し再生させ、当該繰り返し再生を報知手段３４が表示部１３で報知する。【選択図】図１
2015106061.tif 000002
【特許請求の範囲】
【請求項１】
カラオケ楽曲のカラオケ演奏データによりカラオケ演奏音を生成し、歌唱者の歌唱による音声信号及び演奏者の楽器演奏による楽音信号を入力し、カラオケ演奏音と共に放音するカラオケ装置であって、
楽曲再生中に、前記歌唱者及び演奏者以外の利用者である視聴者の盛上がり度を判定する判定手段と、
前記カラオケ演奏データの所定区間を繰り返し再生する延長手段と、
前記楽器演奏による楽音信号の入力の有無を検出する検出手段と、
を有し、
前記楽曲再生中の所定区間において、前記検出手段により前記楽音信号の入力が検出され、かつ、前記判定手段により前記視聴者の盛上がり度が所定値以上であると判定された場合に、前記延長手段により当該所定区間を繰り返し再生させることを特徴とするカラオケ装置。
【請求項２】
請求項１記載のカラオケ装置であって、
前記カラオケ演奏データには歌詞データが含まれ、
前記延長手段による繰り返し再生の所定区間を、当該歌詞データに基づいて特定される非歌唱区間とすることを特徴とするカラオケ装置。
【請求項３】
請求項１又は２記載のカラオケ装置であって、前記延長手段により現に再生中の歌唱区間が繰り返し再生されることを報知する報知手段を備えることを特徴とするカラオケ装置。
【請求項４】
請求項１〜３の少なくとも何れかに記載のカラオケ装置であって、
前記視聴者側を撮像する撮像手段を備え、
前記判定手段が、当該撮像手段からの撮像データに基づいて、当該撮像データ中の各視聴者の動作要素から前記盛上がり度を判定することを特徴とするカラオケ装置。
【請求項５】
請求項１〜３の少なくとも何れかに記載のカラオケ装置であって、
前記視聴者側に向けられる集音手段を備え、
前記判定手段が、当該集音手段からの音声信号に基づいて、当該音声信号中の所定周波数帯域の音声データから前記盛上がり度を判定することを特徴とするカラオケ装置。
【発明の詳細な説明】
【技術分野】
【０００１】
本発明は、カラオケ歌唱と共に楽器演奏をも行えるカラオケ装置に関する。
【背景技術】
【０００２】
近年、電子装置などの安価、高性能化が進み、種々の機能を付加したカラオケ装置が出現しており、新たに娯楽性が高く、サービスの向上を図って利用者の満足感を向上させることが望まれる。
【０００３】
従来、種々の機能を付加したカラオケ装置として、カラオケルーム内でカラオケ楽曲の演奏に合わせて歌唱するだけでなく、エレキギターなどの楽器を演奏する楽しみ方が普及している。例えば、特許文献１に記載されているように、カラオケ楽曲に合わせて演奏されるギターのコードを示すコード譜と、当該コードと対応する歌詞テロップを表示させてギター演奏を支援するというものである。このようなギター演奏は、歌唱者あるいは歌唱者以外の利用者が歌唱区間でバッキング演奏したり、非歌唱区間（間奏パート）やエンディングなどでソロ演奏したりして場を盛り上げることができるものである。
【０００４】
また、他の付加される機能として、例えば特許文献２に記載されているように、歌唱者以外の複数の利用者（視聴者）の盛上がりタイミングを検出する技術として、視聴者を撮像して顔の向き（歌唱者の方を向いている）を検出することによって盛上がっているタイミングを判定するものである。一方、盛上がりのタイミングを判定する技術からみると、視聴者にマイクを向けて設置し（いわゆるガヤマイク）、当該マイクで集音された音声信号を元に盛上がり度を判定することも考えられる。
【０００５】
さらに、他の付加される機能として、種々のファクタに応じてカラオケ楽曲の演奏時間を変更する技術として、歌唱者の好みによるテンポを変更するという小規模な変更から、楽曲全体の演奏時間を大幅に短縮するものまで有り、例えば、特許文献３に記載されているように、カラオケルームの利用時間の残りと予約済みの楽曲の演奏予定時間合計とを比較し、利用者が全曲歌唱してから退出できるように適宜各楽曲の演奏時間を短縮するというものである。逆に、楽曲の所定区間を繰り返し再生して演奏時間を延長する技術も知られている。
【先行技術文献】
【特許文献】
【０００６】
【特許文献１】特開２０１３−１５６５４２号公報
【特許文献２】特開２０１２−０２７３４０号公報
【特許文献３】特開平０９−０６２２８２号公報
【発明の概要】
【発明が解決しようとする課題】
【０００７】
ところで、上記のような技術を用いて、カラオケルームでの興趣を高めるために歌唱や演奏の採点経過を基準にボーナスとしてカラオケ楽曲の演奏時間を延長したり、逆にペナルティとして短縮したりすることができるが、歌唱区間の所定区間を繰り返し再生して時間を延長しても同じ歌詞を繰り返して歌唱するしかなく、また、非歌唱区間を延長しても歌唱者にとってはボーナスにはなり得ずに相応しくない。
【０００８】
一方、非歌唱区間において、利用者による間奏でのギターのソロ演奏を評価してボーナス延長することも考えられるが、演奏を評価するにしてもギターのソロ演奏は基本的にアドリブ演奏であり、リファレンスデータを元に適正に評価することは極めて困難であるというべきである。
【０００９】
そこで、本発明は上記課題に鑑みなされたもので、カラオケ楽曲の再生中に楽器演奏の評価をリファレンスデータを用いずに視聴者感覚で行って娯楽性を高め、利用者の満足度を向上させるカラオケ装置を提供することを目的とする。
【課題を解決するための手段】
【００１０】
上記課題を解決するために、請求項１の発明では、カラオケ楽曲のカラオケ演奏データによりカラオケ演奏音を生成し、歌唱者の歌唱による音声信号及び演奏者の楽器演奏による楽音信号を入力し、カラオケ演奏音と共に放音するカラオケ装置であって、楽曲再生中に、前記歌唱者及び演奏者以外の利用者である視聴者の盛上がり度を判定する判定手段と、前記カラオケ演奏データの所定区間を繰り返し再生する延長手段と、前記楽器演奏による楽音信号の入力の有無を検出する検出手段と、を有し、前記楽曲再生中の所定区間において、前記検出手段により前記楽音信号の入力が検出され、かつ、前記判定手段により前記視聴者の盛上がり度が所定値以上であると判定された場合に、前記延長手段により当該所定区間を繰り返し再生させる構成とする。
【００１１】
請求項２の発明は、前記カラオケ演奏データには歌詞データが含まれ、前記延長手段による繰り返し再生の所定区間を、当該歌詞データに基づいて特定される非歌唱区間とする構成である。
【００１２】
請求項３の発明は、前記延長手段により現に再生中の歌唱区間が繰り返し再生されることを報知する報知手段を備える構成である。
【００１３】
請求項４の発明は、前記視聴者側を撮像する撮像手段を備え、前記判定手段が、当該撮像手段からの撮像データに基づいて、当該撮像データ中の各視聴者の動作要素から前記盛上がり度を判定する構成である。
【００１４】
請求項５の発明は、前記視聴者側に向けられる集音手段を備え、前記判定手段が、当該集音手段からの音声信号に基づいて、当該音声信号中の所定周波数帯域の音声データから前記盛上がり度を判定する構成である。
【発明の効果】
【００１５】
本発明によれば、楽曲再生中に、判定手段が歌唱者及び演奏者以外の利用者である視聴者の盛上がり度を、例えば視聴者側を撮像した撮像データ中の各視聴者の動作要素若しくは視聴者側で集音された音声信号中の所定周波数帯域の音声データに基づいて判定するもので、楽曲再生中の所定区間、例えば非歌唱区間において、カラオケ演奏者からの楽音信号の入力が検出され、かつ、判定手段により視聴者の盛上がり度が所定値以上であると判定された場合に、延長手段により当該所定区間を繰り返し再生させ、当該繰り返し再生を適宜報知する構成とすることにより、カラオケ楽曲の再生中に楽器演奏の評価を視聴者感覚で行わせることから、リファレンスデータを用いずに視聴者の反応に応じた演奏評価を行うことができ、これに応じて演奏区間を延長させることで視聴者をさらに盛り上げ、演奏者のモチベーションを向上させ、ライブ演奏の雰囲気を醸し出して娯楽性を高め、ひいては利用者の満足度を向上させることができるものである。
【図面の簡単な説明】
【００１６】
【図１】本発明に係るカラオケ装置のブロック構成図である。
【図２】図１の遠隔入出力端末による楽曲選曲の説明図である。
【図３】本発明のカラオケ装置における区間延長のフローチャートである。
【図４】図３の延長判定の説明図である。
【図５】図３の区間延長及び報知の説明図である。
【図６】本発明に係るカラオケ装置の区間延長における他の例の説明図である。
【発明を実施するための形態】
【００１７】
以下、本発明の実施形態を図により説明する。
図１に、本発明に係るカラオケ装置のブロック構成図を示す。図１において、カラオケ装置１１は、主要装置としてのカラオケ本体１２に、有線又は無線で外部接続されるものとして、表示部１３、ミキシングアンプ１４、マイク１５、スピーカ１６、遠隔入出力端末１７、楽器アンプ１８及び撮像手段である撮像部１９が接続される。
【００１８】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からの音声信号をミキシングすると共に、これに楽器アンプ１８より送られてくる楽音信号をミキシングし、増幅してスピーカ１６より出力する。
【００１９】
上記遠隔入出力端末１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくとも選曲楽曲登録手段１７Ａを適宜備える。この選曲楽曲登録手段１７Ａは楽曲を検索させ、選曲させるテーブルを備えるプログラムであり、選曲された楽曲は、後述のカラオケ本体１２における予約待ち行列（４１）に登録される。なお、選曲画面については図２（Ａ）で説明する。
【００２０】
上記楽器アンプ１８は、種々の楽器を接続する入力端子を備え、入力された楽器の楽音信号をミキシングアンプ１４に出力すると共に、後述するカラオケ本体１２の検出手段（２９）に出力する。楽器としては、例えばエレキギター、キーボート等の電子楽器が有り、この実施形態ではエレキギターとして説明する。上記撮像部１９は、カラオケルーム内の歌唱者及び演奏者以外の視聴者側に向けられたビデオカメラなどであり、撮像データは後述するカラオケ本体の画像認識手段（３０）に出力される。
【００２１】
上記カラオケ本体１２は、バス２０、中央制御部２１、ＲＯＭ２２、ＲＡＭ２３、映像表示制御手段２４、音楽演奏制御部２５、音源（シンセサイザ）２６、送受信部２７、判定手段２８、検出手段２９、画像認識手段３０、延長手段３２、記憶部３３及び報知手段３４を適宜備える。また、上記画像認識手段３０は動作テンポ特定部３１を備える。上記ＲＡＭ２３には予約待ち行列４１の記憶領域が形成され、記憶部３３には、楽曲ＤＢ４２及び映像ＤＢ４３が記憶される。なお、上記各構成について、本発明の要旨と直接関連しない要素部分であっても、従前のカラオケシステムにおいても大部分が適用可能であることを示すために、構成要素の全体を説明する。
【００２２】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１の記憶領域が形成される他に、上記種々のプログラムを展開、実行させるための作業領域としての役割をなすもので、例えば半導体メモリで構成され、仮想的にハードディスク上に構築される場合をも含む概念である。
【００２３】
上記映像表示制御手段２４は、演奏時に、映像ＤＢ４３より抽出された背景映像及び楽曲ＤＢ４２より抽出された楽曲の歌詞データを表示部１３に出力するプログラム乃至電子回路である。上記音楽演奏制御部２５は、例えばシーケンスプログラムを備え、楽曲コードで楽曲ＤＢ４２より抽出された音符データに従って音源（シンセサイザ）２６を駆動するもので、当該音源２６の出力は演奏信号としてミキシングアンプ１４に出力される。この場合、楽曲演奏で使用される楽器が存在すれば、当該楽器に対応するトラックの音符データは再生しない構成としている。あるいは、当該トラックの音量レベルを楽器が存在しない場合よりも小さくして再生するよう構成してもよい。上記送受信部２７は、遠隔入出力端末１７との間で有線方式ないし無線方式（ＩＲ方式やブルートゥース（登録商標）機構のピコネット接続方式など）を利用してデータ授受を行うためのもので、そのための電子回路及びプログラムである。
【００２４】
上記判定手段２８は、詳細は図３及び図４で説明するが、楽曲再生中に、歌唱者及び演奏者以外の利用者である視聴者の盛上がり度を判定するプログラムである。上記検出手段２９は、Ａ／Ｄ変換機能を備えて楽器アンプ１８より入力する楽音信号の有無を検出する電子回路及びプログラムである。上記画像認識手段３０は、Ａ／Ｄ変換機能を備えて、撮像部１９より入力する撮像データに基づいて、視聴者のそれぞれをキャプチャモーション機能で画像認識し、一例として図４で説明するが、動作テンポ特定部３１のプログラムを備えて個々の視聴者の動作要素としての動作テンポを特定して判定手段２８に供する電子回路及びプログラムである。
【００２５】
上記延長手段３２は、詳細は図３、図５で説明するが、カラオケ演奏データの所定区間を繰り返し再生するプログラムであり、音楽演奏制御部２５に対して繰り返し再生させる指示の指令信号を送出する。
【００２６】
上記記憶部３３に記憶されている楽曲ＤＢ４２は、楽曲毎に、音符データ、歌詞データ、演奏テンポデータなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の各種楽器のトラック毎の音符データ（例えば、ＭＩＤＩ（登録商標）形式の音符データ）等で構成される楽曲データ（ファイル）について楽曲コードをファイル名としてそれぞれ格納したデータベースである。上記記憶部３３に記憶されている映像ＤＢ４３は、楽曲毎に応じた背景映像データについて楽曲コードをファイル名としてそれぞれ格納したデータベースである。
【００２７】
上記報知手段３４は、後述の図５で説明するが、現に再生中の区間が繰り返し再生されることを報知するもので、延長手段３２からの音楽演奏制御部２５に対する指令信号に基づいて映像表示制御手段２４に報知映像を送出するプログラムである。
【００２８】
ここで、図２に、図１の遠隔入出力端末による楽曲選曲の説明図を示す。図２（Ａ）は、遠隔入出力端末１７の楽曲選曲に際しての画面を表示したもので、曲名などの他にキー設定やテンポ設定を可能とすると共に、楽器演奏を所望する場合には、楽器演奏の有無を設定し、その際の楽器種類、例えばギターと設定して転送ボタンを操作することによって、カラオケ本体１２に送出される。
【００２９】
カラオケ本体１２では、送受信部２７において、遠隔入出力端末１７からの選曲信号を受信することにより、図２（Ｂ）に示すように、ＲＡＭ２３の予約待ち行列４１に順番に記憶する。この場合、楽器演奏があればそのフラグが立ち、楽器種類（ギター）の楽器コードが付帯される。なお、テンポ設定などの設定についても予約待ち行列４１に付帯されるが、ここでは図示を省略する。
【００３０】
そこで、図３に本発明のカラオケ装置における区間延長のフローチャートを示すと共に、図４に図３の延長判定の説明図を、図５に図３の区間延長及び報知の説明図を示す。ここでは、楽器演奏のある楽曲が再生される場合として説明する。また、曲構成としては、図５（Ａ）に一例で示すように、前奏部（非歌唱区間）、歌唱区間、間奏部（非歌唱区間）、歌唱区間、後奏部（非歌唱区間）とする。
【００３１】
図３において、まず、図２（Ｂ）の予約待ち行列４１の第２番目を対象として楽曲の演奏が開始される（ステップ（Ｓ）１）。このときには、図１の楽器アンプ１８にはエレキギター５１が接続されているものとする。演奏が前奏部より歌唱区間に入ると、所定のタイミングで画像認識手段３０が撮像部１９からの撮像データに基づいて歌唱者及び演奏者以外の視聴者のそれぞれを画像認識する。そして、動作テンポ特定部３１において個々の視聴者の動作要素としての動作テンポを特定する（Ｓ２）。例えば、図４（Ａ）の歌唱区間に示すような３人の視聴者を画像認識し、そのうちの１人の動作が特定されて動作テンポ情報として、図４（Ｂ）に示すように、判定手段２８に送出される。
【００３２】
歌唱区間が終了して（Ｓ３）、間奏部に入ると、上述のように音符データ中のギターに対応するトラックの再生、放音は行わずに他の楽器の演奏に対応するトラックのみが再生、放音される。このときに楽器演奏者によるギター演奏が開始され、他の楽器演奏と共にミキシングアンプ１４を介してスピーカ１６より放音される。また、判定手段２８においては間奏部であることを歌詞データに基づいて特定する。
【００３３】
間奏区間では、所定のタイミングで画像認識手段３０が撮像部１９からの撮像データに基づいて間奏区間からの視聴者のそれぞれを画像認識する。そして、動作テンポ特定部３１において個々の視聴者の動作要素としての動作テンポを特定する（Ｓ４）。例えば、図４（Ａ）の間奏区間に示すような３人の視聴者を画像認識し、３人の動作が特定されて動作テンポ情報として、図４（Ｂ）に示すように、判定手段２８に順次送出される。
【００３４】
判定手段２８では、図４（Ｂ）に示すように、画像認識手段３０より、間奏区間までの歌唱区間中の各視聴者の動作テンポ情報を取得しており、間奏区間でギター演奏の楽音信号が検出手段２９で検出されたことを条件に、間奏区間からの各視聴者の動作テンポ情報を順次取得すると共に、音楽演奏制御部２５より演奏テンポ情報を取得する（Ｓ５）。そこで、判定手段２８は、間奏区間までの各視聴者の動作テンポ情報と演奏テンポ情報よりテンポが合致する視聴者数を特定すると共に、間奏区間からの各視聴者の動作テンポ情報と演奏テンポ情報よりテンポが合致する視聴者数を特定し、これらを比較して盛上がり度を判定する（Ｓ６）。
【００３５】
すなわち、図４（Ａ）の歌唱区間における視聴者の１人の動作テンポが演奏テンポと合致する場合には、当該歌唱中では視聴者の１人が曲に乗って興じていることとなり、図４（Ａ）の間奏区間における視聴者の３人の動作テンポが演奏テンポと合致する場合には、楽器演奏に対して視聴者の３人が興に乗って盛り上がっていることとなる。
【００３６】
判定手段２８の判定処理における盛上がり度は、ここでは歌唱や演奏に興じている人数として所定値以上か否かで判定するが、この場合の所定値は、１人が２人以上に増える、又は１人が３人に増えることの差としてもよく、何であれ設定者が適宜設定すればよいものである。
【００３７】
判定手段２８による盛上がり度が所定値以上の場合には（Ｓ７）、判定手段２８が、延長手段３２に当該間奏区間の延長を指示する指令信号を送出すると共に、報知手段３４に当該間奏区間の延長開始の表示を指示する指令信号を送出する（Ｓ８）。
【００３８】
延長手段３２は、図５（Ａ）に示すように、現在の間奏部に続いて同じ間奏部を延長して演奏させるべく音楽演奏制御部２５に指示する（Ｓ９）。音楽演奏制御部２５は、当該間奏部に対応する音符データに基づき、当該ギター演奏のトラックを除いて音源２６を制御して再生させる。また、報知手段３４は、映像表示制御手段２４に対して、例えば図５（Ｂ）に示すように「１回目  延長入りました」などの報知内容で表示部１３により表示させる（Ｓ９）。
【００３９】
そこで、現在の間奏部が終了して再度間奏部の区間が演奏されると（Ｓ１０）、Ｓ４〜Ｓ８の処理を繰り返し、盛上がり度が続いていれば、図５（Ａ）に示すように、さらに延長して同じ間奏部の演奏が繰り返させるものである。また、同じ間奏部の演奏を繰り返す回数（延長回数）が増えるたびに、判定手段２８において盛り上がり度を判定処理する際の所定値をより高めていく、つまり判定をより厳しくするよう構成してもよい。あるいは延長回数に制限を設けてもよい。
【００４０】
一方、当該間奏部において判定手段２８による盛上がり度が所定値以上でないと判定された場合には（Ｓ７）、延長はされずに当該間奏部が終了次第、次の歌唱区間の演奏が開始され、次の間奏部の区間があれば（Ｓ１１）、Ｓ２〜Ｓ１０の処理が繰り返され、存在しなければ（Ｓ１１）、延長処理は終了するものである。
【００４１】
次に、図６に、本発明に係るカラオケ装置の区間延長における他の例の説明図を示す。図６（Ａ）に示すブロック図は、判定手段２８における盛上がり度を判定する要素として、図１の撮像部１９及び画像認識手段３０（動作テンポ特定手段３１）に代えて、集音手段である集音マイク６１を有線又は無線でカラオケ本体１２に接続し、カラオケ本体１２にレベル検出手段６２を設けた構成としたものである。
【００４２】
上記集音マイク６１は、歌唱者及び演奏者以外の視聴者側に向けられた、いわゆるガヤマイクであり、集音した音声信号はレベル検出手段６３に入力される。レベル検出手段６３は、入力した音声信号のうちの所定の周波数帯域の音声データ、例えば手拍子（拍手等でもよい）に相当する周波数帯域を抽出し、その音圧レベル（平均音圧レベル）を検出する。
【００４３】
レベル検出手段６３は、図６（Ｂ）に示すように、楽曲演奏中の歌唱区間における平均音圧レベルをＡ／Ｄ変換して判定手段２８に送出し、また、間奏区間における平均音圧レベルをＡ／Ｄ変換して判定手段２８に送出する。例えば、図６（Ｂ）の歌唱区間では、視聴者の１人分の手拍子の平均音圧レベルとして検出されるものとして当該歌唱中では視聴者の１人が曲に乗って興じていることとなり、図６（Ｂ）の間奏区間における視聴者の３人分の手拍子の平均音圧レベルとして検出されるものとして、楽器演奏に対して視聴者の３人が興に乗って盛り上がっていることとなる。
【００４４】
判定手段２８の判定処理における盛上がり度は、歌唱区間の平均音圧レベルと間奏区間の平均音圧レベルとを比較し、比較結果が適宜設定された所定値としてのレベル差の値以上のときに視聴者が盛り上がっていると判定し、延長手段３２に当該間奏区間の繰り返し再生を指示するものである。なお、レベル検出手段６３において、デジタル処理する場合には、Ａ／Ｄ変換部６２を備えさせてレベル検出処理を行ってもよい。
【００４５】
このように、楽器演奏に対して、リファレンスデータを用いずに視聴者の反応に応じた演奏評価を行うことができ、これに応じて演奏区間を延長させることで視聴者をさらに盛り上げ、演奏者のモチベーションを向上させ、ライブ演奏の雰囲気を醸し出して娯楽性を高め、ひいては利用者の満足度を向上させることができるものである。
【００４６】
ところで、上記実施形態では、延長手段３２による繰り返し再生の所定区間を、特に効果的な対象として当該歌詞データに基づいて特定される間奏部（非歌唱区間）での楽器演奏として説明したが、前奏部や後奏部の非歌唱区間を延長対象として楽器演奏させてもよいものである。
【産業上の利用可能性】
【００４７】
本発明のカラオケ装置は、カラオケの基本的機能を備えるカラオケ装置の産業分野に利用可能である。
【符号の説明】
【００４８】
１１            カラオケ装置
１２            カラオケ本体
１３            表示部
１７            遠隔入出力端末
１８            楽器アンプ
１９            撮像部
２１            中央制御部
２５            音楽演奏制御部
２８            判定手段
２９            検出手段
３０            画像認識手段
３１            動作テンポ特定部
３２            延長手段
６１            集音マイク
６３            レベル検出手段
【図１】
2015106061.tif 000003
【図２】
2015106061.tif 000004
【図３】
2015106061.tif 000005
【図４】
2015106061.tif 000006
【図５】
2015106061.tif 000007
【図６】
2015106061.tif 000008